(57)【要約】      （修正有）【課題】水素装置の電解反応時に発生する圧力の調整が行われる、調整弁を有する蓋体を提供する。【解決手段】蓋体１０は、水素装置２０に応用される。蓋体１０は、水素装置２０の空間２１に連通されるスルーホール１１、及びスルーホール１１に螺設される調整弁１２を備える。調整弁１２の開閉が調整されることで、水素装置２０の電解反応時に空間２１内で発生する圧力が制御される。さらに、水素装置２０による水素生成時に、気体が増えることで装置の圧力が高まり、漏水が発生しやすくなるが、使用者が調整調整弁１２を回転させることで水素装置２０内で電解反応時に発生する圧力が調整されて、減圧される。【選択図】図１
0003206397.tif 000002
【実用新案登録請求の範囲】
【請求項１】
水素装置に応用される調整弁を有する蓋体であって、前記蓋体は、
前記水素装置の空間に連通されるスルーホールと、
前記スルーホールに螺設される調整弁とを備え、
前記調整弁の開閉が調整されることで前記水素装置の空間の圧力が制御されることを特徴とする、
調整弁を有する蓋体。
【請求項２】
前記調整弁のねじ山は前記調整弁の下端に設けられると共に所定の長さを有することを特徴とする、請求項１に記載の調整弁を有する蓋体。
【請求項３】
前記スルーホールの上端には第一ストッパーを有し、前記スルーホールの下端には第二ストッパーを有し、前記調整弁の上端には第一突起部材を有し、前記調整弁の下端は前記ねじ山の上方に第二突起部材が設置されることを特徴とする、請求項２に記載の調整弁を有する蓋体。
【請求項４】
前記調整弁に覆設されると共に前記第一ストッパーと前記第二突起部材との間に位置される弾性部材を更に有することを特徴とする、請求項３に記載の調整弁を有する蓋体。
【考案の詳細な説明】
【技術分野】
【０００１】
本考案は、水素装置に応用されると共に水素装置の電解反応時に発生する圧力の制御に用いられる調整弁を有する蓋体に関する。
【背景技術】
【０００２】
現在、人々の飲用水に対する需要は、単に喉の渇きを癒せる清潔な水であることにとどまらず、機能性を有する機能水が求められている。水素水（Ｈｙｄｒｏｇｅｎ  Ｗａｔｅｒ）はその中の一種である。また、水素水は大量の水素を含有する水であるため、富水素水とも呼ばれる。
【０００３】
近年、水素は医学及び保健分野で広く有効的に運用可能であることが証明されている。人間が少量の水素を吸収すると、選択的に抗酸化作用が発生し、毒性を有する遊離基が中和され、更には、糖尿病、器官の損傷、脳卒中、損傷の放射線治療、老年性痴呆症、脳梗塞、高血圧、癌等の多くの疾病の治療が可能である。このため、市場に出回る水素装置により水中で水の電解反応を発生させて水素を生成させることで水素水を形成させ、飲用することで人体に吸収させるようにしている。
【考案の概要】
【考案が解決しようとする課題】
【０００４】
しかしながら、水素装置は、水素の生成時に気体が増えることで水素装置の圧力が高まり、漏水が発生しやすくなった。
そこで、本考案者は上記の欠点が改善可能と考え、鋭意検討を重ねた結果、合理的設計で上記の課題を効果的に改善する本考案の提案に到った。
【０００５】
なお、本考案は、このような従来の問題に鑑みてなされたものであり、その目的とするところは、蓋体に設置される調整弁により水素装置の電解反応時に発生する圧力の調整が行われる、調整弁を有する蓋体を提供することにある。
【課題を解決するための手段】
【０００６】
上述した課題を解決し、目的を達成するための、本考案に係る調整弁を有する蓋体は、水素装置に応用され、前記蓋体は、前記水素装置の空間に連通されるスルーホールと、前記スルーホールに螺設される調整弁とを備え、前記調整弁の開閉が調整されることで前記水素装置の空間の圧力が制御されることを特徴とする。
【０００７】
本考案の好適な実施の形態において、前記調整弁のねじ山は前記調整弁の下端に設けられると共に所定の長さを有する。
【０００８】
本考案の好適な実施の形態において、前記スルーホールの上端には第一ストッパーを有し、前記スルーホールの下端には第二ストッパーを有し、前記調整弁の上端には第一突起部材を有し、前記調整弁の下端は前記ねじ山の上方に第二突起部材が設置される。
【０００９】
本考案の好適な実施の形態において、前記調整弁に覆設されると共に前記第一ストッパーと前記第二突起部材との間に位置される弾性部材を更に有する。
【図面の簡単な説明】
【００１０】
【図１】本考案の第１実施形態による調整弁を有する蓋体が水素装置に装着された断面図である。
【図２】本考案の第１実施形態による調整弁を有する蓋体が全閉位置にある断面図である。
【図３】本考案の第１実施形態による調整弁を有する蓋体が全開位置にある断面図である。
【図４】本考案の他の実施形態による調整弁を有する蓋体が水素装置に装着される断面図である。
【考案を実施するための形態】
【００１１】
以下に図面を参照して、本考案を実施するための形態について、詳細に説明する。なお、本考案は、以下に説明する実施形態に限定されるものではない。
【実施例】
【００１２】
（第１実施形態）
以下、本考案の実施形態について、図面を参照しながら説明する。
まず、図１は本考案の調整弁を有する蓋体が水素装置に装着される断面図である。且つ、本考案に係る調整弁を有する蓋体は水素装置２０に応用され、前記蓋体１０は、前記水素装置２０の空間２１に連通されるスルーホール１１、及び前記スルーホール１１に螺設される調整弁１２を備える。前記調整弁１２の開閉が調整されることで前記水素装置２０の電解反応時に前記空間２１内で発生する圧力が制御される。
【００１３】
さらに、水素装置２０による水素生成時に、気体が増えることで装置の圧力が高まり、漏水が発生しやすくなるが、本考案は、使用者が調整調整弁１２を回転させることで水素装置２０内で電解反応時に発生する圧力が調整されて、減圧される。
【００１４】
続いて、図２及び図３は本考案の第１実施形態による調整弁を有する蓋体が全閉位置及び全開位置にある時の断面図である。
この実施形態において、調整弁１２のねじ山１２１は前記調整弁１２の下端、すなわち水素装置に近接される一端に設けられ、且つ前記ねじ山１２１は所定の長さを有する。実際の需要に合わせて前記所定の長さが決定され、例えば、蓋体１０の厚さに対応して増減される。
【００１５】
このほか、蓋体１０のスルーホール１１の上端には第一ストッパー１３を有し、スルーホール１１の下端には第二ストッパー１４を有し、調整弁１２の上端には第一突起部材１２２を有し、調整弁１２の下端は前記ねじ山１２１の上方に第二突起部材１２３が設置される。
前記調整弁１２が全閉位置にある場合（図２参照）、前記第一突起部材１２２により前記第一ストッパー１３が押圧され、且つ前記第二突起部材１２３により前記第二ストッパー１４が押圧され、完全に閉鎖される状態になり、水素装置内の液体或いは気体が外に流出する事態が回避され、且つ水素装置内の圧力が高まり、水素或いは酸素濃度が増加する。水素装置による電解反応が一定時間行われた後、圧力が増加して漏水が発生する事態を回避させるために、使用者は、調整弁１２を回転させることで空間内の圧力を解放させることができる。
前記調整弁１２が全開位置にある場合（図３参照）、前記調整弁１２のねじ山１２１が蓋体１０から完全に脱離された状態になり、前記スルーホール１１が水素装置及び外部空間に連通され、前記スルーホール１１が排水孔として使用され、使用者は、前記スルーホール１１から水素装置内の電解反応により生成された水素水を取得できる。或いは、排気孔として使用され、使用者は、生した水素や酸素を直接吸入できる。また、第二突起部材１２３及び第一ストッパー１３の設置により、第二突起部材１２３が第一ストッパー１３に当接されて、調整弁１２が全開位置にある際に外に落ちるのを防止させる。
【００１６】
図４は本考案の他の実施形態による調整弁を有する蓋体が水素装置に装着される断面図である。この実施形態において、本考案の調整弁を有する蓋体は、弾性部材１５を更に有する。弾性部材１５はばね等であり、前記調整弁１２に覆設されると共に前記第一ストッパー１３と前記第二突起部材１２３との間に位置され、調整弁１２の開閉時の緩衝のために使用される。
【００１７】
上述したように、本考案は調整弁を有する蓋体を提供し、蓋体に設置される調整弁により水素装置による電解反応時に発生する圧力が調整され、全閉状態にある場合、水素装置内の流体が漏れ出さなくなる。これにより、水素装置内の圧力が高まり、水素或いは酸素濃度が増加する。
水素装置による電解反応が一定時間行われた後、圧力の増加により漏水が発生する事態を回避させるため、調整弁を開いて減圧を行う。調整弁が全開状態にある場合、排水孔或いは排気孔となり、使用者が水素装置内の水素水を吸水したり、発生した水素や酸素を吸入することができる。
【００１８】
以上、本考案はこのような実施形態に限定されるものではなく、考案の趣旨を逸脱しない範囲において、種々の形態で実施することができる。
【符号の説明】
【００１９】
１０    蓋体
１１    スルーホール
１２    調整弁
１２１  ねじ山
１２２  第一突起部材
１２３  第二突起部材
１３    第一ストッパー
１４    第二ストッパー
１５    弾性部材
２０    水素装置
２１    空間
【図１】
0003206397.tif 000003
【図２】
0003206397.tif 000004
【図３】
0003206397.tif 000005
【図４】
0003206397.tif 000006